【手続補正書】
【提出日】平成18年5月17日(2006.5.17)
【手続補正１】
【補正対象書類名】明細書
【補正対象項目名】特許請求の範囲
【補正方法】変更
【補正の内容】
【特許請求の範囲】
【請求項１】  複数の第１の情報処理装置と、複数の前記第１の情報処理装置とネットワークを介して接続される第２の情報処理装置からなる情報検索システムであって、
前記第１の情報処理装置は、
ユーザの嗜好を表す嗜好情報に基づいて、ユーザの興味を表す興味データを生成する生成手段と、
生成された前記興味データを前記ネットワークを介して前記第２の情報処理装置に送信する第１の送信手段と、
前記第２の情報処理装置から取得された統合興味データに基づいて、ユーザにコンテンツを推薦する推薦手段と
を備え、
前記第２の情報処理装置は、
複数の前記第１の情報処理装置から送信された複数の前記第１の情報処理装置の前記興味データの重要度を表す値に所定の重み付けを行う重み付け手段と、
重み付けが行われた複数の前記興味データを統合し、前記統合興味データを生成する統合興味データ生成手段と、
前記統合興味データを前記ネットワークを介して前記第１の情報処理装置に送信する第２の送信手段と
を備える
ことを特徴とする情報検索システム。
【請求項２】  複数の第１の情報処理装置と、複数の前記第１の情報処理装置とネットワークを介して接続される第２の情報処理装置からなる情報検索システムの情報検索方法であって、
前記第１の情報処理装置は、
ユーザの嗜好を表す嗜好情報に基づいて、ユーザの興味を表す興味データを生成し、
生成された前記興味データを前記ネットワークを介して前記第２の情報処理装置に送信し、
前記第２の情報処理装置は、
複数の前記第１の情報処理装置から送信された複数の前記第１の情報処理装置の前記興味データの重要度を表す値に所定の重み付けを行い、
重み付けが行われた複数の前記興味データを統合して、統合興味データを生成し、
生成した前記統合興味データを前記第１の情報処理装置に送信し、
前記第１の情報処理装置は、前記第２の情報処理装置から前記ネットワークを介して取得された前記統合興味データに基づいて、ユーザにコンテンツを推薦する
ことを特徴とする情報検索方法。
【請求項３】  ネットワークを介して複数の他の情報処理装置と接続され、複数の前記他の情報処理装置から送信されるユーザの興味を表す興味データを記憶する情報処理装置であって、
前記興味データの重要度を表す値に所定の重み付けを行う重み付け手段と、
前記重み付け手段により重み付けが行われた複数の前記興味データを統合興味データとして生成する統合興味データ生成手段と、
前記統合興味データをユーザにコンテンツを推薦する情報として、前記他の情報処理装置に前記ネットワークを介して提供する提供手段と
を備えることを特徴とする情報処理装置。
【請求項４】  前記重み付け手段は、
複数の前記他の情報処理装置から送信される複数の興味データの重要度を表す値に対する重み付け方法の入力を行う方法入力手段と、
前記方法入力手段により、重み付け方法として機器の使用頻度による重み付けが入力された場合、前記他の情報処理装置の使用頻度を特定する頻度特定手段と、
前記頻度特定手段により特定された使用頻度に基づいて、前記他の情報処理装置の興味データの重要度を表す値に重み付けを行う頻度重み付け手段と
を備えることを特徴とする請求項３に記載の情報処理装置。
【請求項５】  前記重み付け手段は、
前記方法入力手段により、重み付け方法としてユーザの指定による重み付けが入力された場合、前記興味データの重要度に対するユーザの重み付けの指定を特定する指定特定手段と、
前記指定特定手段により特定された重み付けの指定に基づいて、前記他の情報処理装置の興味データの重要度を表す値に重み付けを行う指定重み付け手段と
をさらに備えることを特徴とする請求項４に記載の情報処理装置。
【請求項６】  ネットワークを介して複数の他の情報処理装置と接続され、複数の前記他の情報処理装置から送信されるユーザの興味を表す興味データを記憶する情報処理装置の情報処理方法であって、
前記興味データの重要度を表す値に所定の重み付けを行う重み付けステップと、
前記重み付けステップの処理により重み付けが行われた複数の前記興味データを統合興味データとして生成する統合興味データ生成ステップと、
前記統合興味データをユーザにコンテンツを推薦する情報として、前記他の情報処理装置に前記ネットワークを介して提供する提供ステップと
を含むことを特徴とする情報処理方法。
【請求項７】  ネットワークを介して複数の他の情報処理装置と接続され、複数の前記他の情報処理装置から送信されるユーザの興味を表す興味データを記憶する情報処理装置のプログラムであって、
前記興味データの重要度を表す値に所定の重み付けを行うように制御する重み付け制御ステップと、
前記重み付け制御ステップの処理により重み付けが行われた複数の前記興味データを統合興味データとして生成するように制御する統合興味データ生成制御ステップと、
前記統合興味データをユーザにコンテンツを推薦する情報として、前記他の情報処理装置に前記ネットワークを介して提供するように制御する提供制御ステップと
をコンピュータに実行させることを特徴とするプログラム。
【請求項８】  ネットワークを介して複数の他の情報処理装置と接続され、複数の前記他の情報処理装置から送信されるユーザの興味を表す興味データを記憶する情報処理装置のプログラムが記録される記録媒体であって、
前記興味データの重要度を表す値に所定の重み付けを行うように制御する重み付け制御ステップと、
前記重み付け制御ステップの処理により重み付けが行われた複数の前記興味データを統合興味データとして生成するように制御する統合興味データ生成制御ステップと、
前記統合興味データをユーザにコンテンツを推薦する情報として、前記他の情報処理装置に前記ネットワークを介して提供するように制御する提供制御ステップと
をコンピュータに実行させるプログラムが記録されることを特徴とする記録媒体。
【請求項９】  ネットワークを介して他の情報処理装置と接続される情報処理装置であって、
ユーザの興味を表す興味データおよびその重要度を表す値を生成する生成手段と、
前記興味データと前記興味データの重要度を表す値を前記他の情報処理装置に送信する送信手段と、
前記他の情報処理装置において前記興味データの重要度を表す値に重み付けが行われた統合興味データを取得する取得手段と、
前記取得手段により取得された前記統合興味データに基づいて、コンテンツに関連する関連情報を検索する検索手段と、
前記検索手段により検索された前記関連情報を提示する提示手段と
を備えることを特徴とする情報処理装置。
【請求項１０】  前記生成手段により生成された前記興味データの重要度を表す値を変更する変更手段をさらに備える
ことを特徴とする請求項９に記載の情報処理装置。
【請求項１１】  ネットワークを介して他の情報処理装置と接続される情報処理装置の情報処理方法であって、
ユーザの興味を表す興味データおよびその重要度を表す値を生成する生成ステップと、
前記興味データと前記興味データの重要度を表す値を前記他の情報処理装置に送信する送信ステップと、
前記他の情報処理装置において前記興味データの重要度を表す値に重み付けが行われた統合興味データを取得する取得ステップと、
前記取得ステップの処理により取得された前記統合興味データに基づいて、コンテンツに関連する関連情報を検索する検索ステップと、
前記検索ステップの処理により検索された前記関連情報を提示する提示ステップと
を含むことを特徴とする情報処理方法。
【請求項１２】  ネットワークを介して他の情報処理装置と接続される情報処理装置のプログラムであって、
ユーザの興味を表す興味データおよびその重要度を表す値の生成を制御する生成制御ステップと、
前記興味データと前記興味データの重要度を表す値を前記他の情報処理装置に送信するように制御する送信制御ステップと、
前記他の情報処理装置において前記興味データの重要度を表す値に重み付けが行われた統合興味データの取得を制御する取得制御ステップと、
前記取得制御ステップの処理により取得された前記統合興味データに基づいて、コンテンツに関連する関連情報の検索を制御する検索制御ステップと、
前記検索制御ステップの処理により検索された関連情報の提示を制御する提示制御ステップと
をコンピュータに実行させることを特徴とするプログラム。
【請求項１３】  ネットワークを介して他の情報処理装置と接続される情報処理装置のプログラムが記録される記録媒体であって、
ユーザの興味を表す興味データおよびその重要度を表す値の生成を制御する生成制御ステップと、
前記興味データと前記興味データの重要度を表す値を前記他の情報処理装置に送信するように制御する送信制御ステップと、
前記他の情報処理装置において前記興味データの重要度を表す値に重み付けが行われた統合興味データの取得を制御する取得制御ステップと、
前記取得制御ステップの処理により取得された前記統合興味データに基づいて、コンテンツに関連する関連情報の検索を制御する検索制御ステップと、
前記検索制御ステップの処理により検索された関連情報の提示を制御する提示制御ステップと
をコンピュータに実行させるプログラムが記録されることを特徴とする記録媒体。